(57)【要約】【課題】床だけでなく壁面、天井面の拭き掃除ができる。【解決手段】【請求項１】  柄の先端に把持ホルダを備え、当該把持ホルダに硬度５５〜６５度、幅４０〜５０mm、厚み３〜５ｍｍの弾性ゴムを柄の長手方向に対して１５〜２５度傾斜させて把持させ、当該弾性ゴムに極細糸で編んだ布カバーを被せた構成とする。この構成によって、押し動作さであっても引き動作であっても、面を変えずに押し引きの往復運動をすることができ、効率的に拭き掃除ができる。また、弾性ゴムが柄に対して所定角度傾斜しているので、床面だけでなく、壁面や天井面の拭き掃除ができる。加えて、水の使用量が僅かであるので、吹き掃除後に人が転倒する怖れがない。【選択図】図１
2014033896.tif 000002
【特許請求の範囲】
【請求項１】
柄の先端に把持ホルダを備え、当該把持ホルダに硬度５５〜６５度、幅４０〜５０mm、厚み３〜５ｍｍの弾性ゴムを柄の長手方向に対して１５〜２５度傾斜させて把持させ、当該弾性ゴムに極細糸で編んだ布カバーを被せたことを特徴とする拭き掃除具。
【発明の詳細な説明】
【技術分野】
【０００１】
本発明は、拭き掃除具に関するものである。
【背景技術】
【０００２】
床面・壁面等の清掃対象面に付着した汚れとしては、例えば粒子が対象面に圧着された状態の物理的付着、化学結合的作用のある物質により粒子が対象面に付着される状態の化学的付着、粒子が対象面に濡れた状態で付着するウエット付着等のいずれかでもって対象面にこびりついた状態の固着粒子と、空中に浮遊している粒子が重力に左右されて落下した状態で付着された自由落下粒子、静電気的な電荷が帯電することによって生じたクーロン力の作用でもって付着する帯電付着粒子等の埃性の非固着粒子とに分けられる。
【０００３】
また、これらの対象面に付着した固着粒子の汚れを除去する方法としては、水を使って拭くウエット清掃が使用される。
【０００４】
日常的なウエット清掃に使われる用具としては、雑巾を使う拭き掃除と、糸状の繊維を加工して拭取部としたモップ用具を使うモップ掃除が普及している他に、広い場所を清掃するための水等による洗浄法、およびこの洗浄法に際し床面洗浄機等を使用する組み合わせ法による機械化も進んでいる。
【先行技術文献】
【特許文献】
【０００５】
【特許文献１】特開平１０-１５５７１４
【特許文献２】特開平０８-０５２１０１
【特許文献３】特開平２００５-３３４０１８
【発明の概要】
【発明が解決しようとする課題】
【０００６】
清掃作業のあと床がぬれた状態であると、歩く人がすべることがあり、特に、高齢者施設、あるいは病院等では、上記ウエット清掃が避けられる傾向にある。ところが、対象面に付着した固着粒子の汚れは、水を使用しないと旨く剥がれないことが多く、ウェット清掃を完全に排除することは今のところできない。
【０００７】
ところが、ウェット清掃に使用するモップは、適度の水分を含ませるために、水槽を兼ねた絞り器具で絞る必要があるが、この絞り作業は手間な作業であった。また、往復運動させるときに清掃対象面に対してモップの面を運動方向に応じて変える必要があり、作業に負担となっていた。さらに、モップは水を含ませると頭部の重量が大きく、壁面や天井の拭き掃除が困難である。
【０００８】
特開平１０-１５５７１４には、基台側に拭き掃除に適するふくらみを備え、先端側を掃き掃除に適するように細くしたゴム、スポンジ等よりなる可撓性基盤をそなえる清掃具が開示されている。しかしながら、この特開平１０-１５５７１４は掃き掃除にも、拭き掃除にも使用できる清掃具を提示しているにすぎず、例えば天井や壁等の拭き掃除まで簡単にしかも効率よくできるものではない。
【０００９】
特開２００５-３３４０１８は、把持ホルダにワイパーゴムを布材で包被し、当該把持ホルダを柄の先端に取り付けるように構成したものである。この構成でも、ワイパーゴムを包皮する布カバーと対象面の接触状態が作業結果に大きな影響を与えることになるが、現状ではこの接触状態が良好ではなく、結果として、径の小さな塵埃を充分取り除くことはできない。加えて、床面に対して拭き掃除に必要な適性なちからを与えようとするときの条件、壁面や天井の拭き掃除をしようとするときの条件は、ワイパーゴムの硬度や、柄との角度が重要であるが、ここではそれらの条件に触れられていない。
【００１０】
本発明は上記のような従来存した諸事情に鑑みて提案されたもので、床面だけでなく、天井や壁面も簡単に、しかも効率よく拭き取ることができ、清掃後の用具の洗濯も容易に行える拭き掃除具を提供することを目的とする。
【課題を解決するための手段】
【００１１】
上述した課題を解決するため、本発明は、柄の先端に把持ホルダを備え、当該把持ホルダに硬度５５〜６５度、幅４０〜５０mm、厚み３〜５ｍｍの弾性ゴムを柄の長手方向に対して１５〜２５度傾斜させて把持させ、当該弾性ゴムに布カバーで覆ったものである。
【００１２】
前記布カバーの種類は特に問われないが、耐熱性のある合成樹脂を用いると、汚れが洗濯で落ち易く、再利用が可能となる。
【００１３】
この拭き掃除具を使用するには、スプレーで軽く水を布カバーに吹きかけて対象面に軽く垂直圧を掛け、前記布カバーが清掃対象面に所定圧、所定幅で押圧された状態を形成するとともに、往復の水平運動で滑らせる。又、壁面であっても天井であっても自在に拭き取ることができる。
【発明の効果】
【００１４】
本発明によれば、床面等の清掃対象面に、弾性ゴムを包皮した布カバーが、適度の力で圧接されるとともに、その圧接状態は弾性ゴムの湾曲部から先端方向全体に及ぶことになる。加えて、押し動作であっても、引き動作であっても、前記弾性ゴムが、所定の垂直圧を保っているので、面を変えずに押し引きの往復運動をすることができ、効率的に拭き掃除ができる。更に、前記弾性ゴムが所定の角度を保っているので、壁面、天井面であっても対象面に、拭き取りに必要な圧力で押し付けることができ、床面以外の面の拭き掃除も簡単にできることになる。
【図面の簡単な説明】
【００１５】
【図１】本発明の全体斜視図
【図２】本発明の使用状態を示す図
【図３】弾性ゴムと対象面の関係を示す図
【図４】弾性ゴムと対象面の関係を示す図
【図５】弾性ゴムと対象面の関係を示す図
【図６】本発明を壁面の拭き掃除に適用する状態を示す図
【図７】本発明を天井面の拭き掃除に適用する状態を示す図
【発明を実施するための最良の形態】
【００１６】
図１は、本発明の全体斜視図である。
【００１７】
断面がコの字となる把持ホルダ２に、硬度５５〜６５度の弾性ゴム３が挟みこまれネジ等で固定される。この弾性ゴム３の先端は４０〜５０ｍｍ程度把持ホルダ２の先端方向に突き出すように取り付けられている。
【００１８】
前記把持ホルダ２の後端中央（コの字の背部）には、取り付け板２１が固着され、当該取り付け板２１を利用して、柄１の先端に当該把持ホルダ２が、前記柄１の長手方向に対して１５〜２５度の角度を持って取り付けられる。すなわち、把持ホルダ２と柄１はT字状を形成するが、T字の上辺（弾性ゴム３）が角度を持っていることになる。
【００１９】
上記、弾性ゴム３の硬度は５５度〜６５度が好ましく、例えばシリコンゴムが使用される。には布カバー４が、クリップあるいはファスナーを利用して被せられる。この布カバー４に使用する布の種類は、木綿等の天然繊維、ポリプロピレン等の合成樹脂等のいずれでもよいが、洗濯して再利用することを考慮すると耐熱性で汚れの落ち易い合成樹脂性が好ましい。
【００２０】
この構成の拭き掃除具を使用するには、図２に示すように、柄１の先端の弾性ゴム３と清掃対象面の角度αが７０〜９０度を保つように、一方の手で柄１の端を持ち、他方の手（一般的に利き手）で柄１の中央部を軽く抑える。これによって、図３に示すように弾性ゴム３に被せた布カバー４が、弾性ゴム３が湾曲した位置から先端に渡って（前記弾性ゴム３の全幅に渡って）対象面に抑え付けられることになる。
【００２１】
この状態から、柄１を押すか、あるいは引くかのいずれの動作によっても、対象面を拭くことができる。押したときでも引いたときでも同様に力が掛かるので、モップを使用したときに比べて、倍近い効率で拭き掃除ができることになり、モップを使用するときのように、往時と復時で清掃対象面との接触面を変える必要がない。
【００２２】
仮に、上記弾性ゴム３の把持ホルダ２からの突出長さ、厚さを同一にして、硬度が、５５度以下である場合、あるいは、弾性ゴム３の硬度、厚さを同一にして把持ホルダ２からの突出長さを、５５ｍｍより長くしたとき、図５に示すように、弾性ゴムの先端部に柄に掛けた力が作用しなくなり、布カバー４と対象面との間に充分な圧力が加わらないことになり、利き手による押圧効果がちいさくなる。
【００２３】
また、逆に、上記弾性ゴム３の把持ホルダ２からの突出長さ、厚さを同一にして、硬度が、６５度以上である場合、あるいは、弾性ゴム３の硬度、厚さを同一にして把持ホルダ２からの突出長さを、４５ｍｍより短くしたとき、図４に示すように、弾性ゴムの先端部分のみが対象面と接することになり、この状態であると、弾性ゴム３と対象面の接触面積が小さくなり、拭き効果が小さくなる。
【００２４】
加えて、柄１を押すときは弾性ゴム３に直角に近い押し圧が加わり、この押し圧力が、上からの押し圧力に勝ったとき、引く時とは反対のゴム面と対象面が接することになる。従って、押すときと引くときで対象面に接する弾性ゴム３の面が入れ替わることになり、スムーズが力の伝達が出来ないことになる。
【００２５】
上記布カバー４に用いる布材はポリエステル、ポリプロピレン等の合成繊維あるいは綿布等の天然繊維を用いることができるが、耐熱性の合成繊維を用いると選択をしやすくなり再利用が可能となる。加えて、極細糸のパイル織４１、あるいは不織布を用いると微細な粒子を吸蔵する空間が大きくなり、効率的な拭き掃除が可能となる。
【００２６】
また、病院や微生物研究機関のように、掃除具自体をオートクレプで殺菌する必要がある場合には、上記弾性ゴムとしてシリコンゴムを、また、布カバーの材料として耐熱性の合成樹脂を使用すると、高温に耐え、しかも頻度の高い使用に耐えることになる。
【００２７】
前記布カバー４への噴霧量は固着粒子の量に応じて決定すればよいが、通常のオフィス、住居環境では使用後２〜３分で乾く程度で充分であり、従って、清掃後で濡れが残ることがなく、転倒事故が発生するおそれはなくなる。
【００２８】
上記のように本願の拭き掃除具は、床の拭き掃除に適用できることは勿論のこと、図６に示すように、壁面の拭き掃除にも有効である。すなわち、弾性ゴム３の先端を壁に当て、柄１の中央部を押し付けることによって、壁面に対して所定の幅で接するようにして、上下動させて作業をする。このとき勿論水を噴霧することになるが、モップを使用するときのように、滴り落ちるほどの量ではないので、床面を汚すことなく作業を進めることができる。
【００２９】
更に、本願の拭き掃除具は、図７に示すように、柄１を上げて天井面に、弾性ゴム３の先端が着くようにし、この状態で、柄１の中央部を天井側に押すと、天井面と弾性ゴムが所定の幅で接することになる。この状態で天井面を滑らせることによって天井面の拭き掃除も可能となる。
【００３０】
尚、柄と弾性ゴムに角度をつけないで、一直線にした場合には、狭い箇所の拭き掃除に対応できる利点がある。
【産業上の利用可能性】
【００３１】
以上説明したように、本発明は床ばかりでなく、壁面や天井面の拭き掃除もできるので、産業上の利用可能性が極めておおきい。
【符号の説明】
【００３２】
１  柄
２  把持ホルダ
３  弾性ゴム
４  布カバー
２１  取り付け板
４１  極細糸のパイル織
【図１】
2014033896.tif 000003
【図２】
2014033896.tif 000004
【図３】
2014033896.tif 000005
【図４】
2014033896.tif 000006
【図５】
2014033896.tif 000007
【図６】
2014033896.tif 000008
【図７】
2014033896.tif 000009